(57)【要約】【課題】削り滓を受ける面積の拡張を図ることができる猫の爪研ぎを提供する。【解決手段】猫の爪研ぎ１の爪研ぎ本体１１を、縦長矩形状の箱体１２と、箱体１２に収容された爪研ぎ部材１３とで構成する。箱体１２に開口部１５を形成し、爪研ぎ部材１３の爪研ぎ面１４を露出する。爪研ぎ本体１１の底部に、トレイ状の受部２１を外側から取り付け、受部２１で爪研ぎ時に生じた削り滓を受けて床面への散乱を防止する。削り滓を受ける受部２１を、箱体１２正面３１に開口部１５を形成する際に切り取られる切り取り片５２で構成する。【選択図】          図１
2004321044.tif 000002
【特許請求の範囲】
【請求項１】
爪研ぎ本体に外側から取り付けられ、爪研ぎ時に生じた削り滓を受ける受部を備えたことを特徴とする猫の爪研ぎ。
【請求項２】
前記受部を、前記爪研ぎ本体に嵌着されるトレイ状に形成するとともに、当該受部の後壁面を前記爪研ぎ本体の背面に係止する係止手段を備えたことを特徴とする請求項１記載の猫の爪研ぎ。
【請求項３】
前記爪研ぎ本体を、爪研ぎ部材と該爪研ぎ部材を収容する箱体とで構成するとともに、前記受部を、使用時に前記箱体から切り取られる切り取り片で構成したことを特徴とする請求項１又は２記載の猫の爪研ぎ。
【請求項４】
前記箱体に、使用時に背面に沿って切り起こされる舌片を複数箇所に設けたことを特徴とする請求項３記載の猫の爪研ぎ。
【請求項５】
爪研ぎ本体が、爪研ぎ部材と該爪研ぎ部材を収容する箱体とで構成され、爪研ぎ時に生じた削り滓を受ける受部を備えた猫の爪研ぎにおいて、
前記箱体に、使用時に背面に沿って切り起こされる舌片を複数箇所に設けたことを特徴とする猫の爪研ぎ。
【発明の詳細な説明】
【０００１】
【発明の属する技術分野】
本発明は、猫が爪を研ぐ猫の爪研ぎに関する。
【０００２】
【従来の技術】
従来、猫による柱への引っ掻き傷を防止する際には、図６に示すように、猫の爪研ぎ１０１が使用されていた（例えば、特許文献１参照。）。
【０００３】
この猫の爪研ぎ１０１の爪研ぎ本体１１１は、箱体１１２と、該箱体１１２に収容された爪研ぎ部材１１３とからなり、箱体１１２の開口部１１４から露出した爪研ぎ部材１１３で、猫が爪を研げるように構成されている。前記開口部１１４の下部には、受部１１５が設けられており、該受部１１５によって爪研ぎ時に生じた削り滓を受け、床等への散乱を防止できるように構成されている。
【０００４】
前記受部１１５は、図７に示すように、ボール紙が折曲されて形成された受部部材１２１からなり、該受部部材１２１は、前記箱体１１２に収容される大きさに形成されている。この受部部材１２１は、前記箱体１１２内に配置される受部本体１２２と、該受部本体１２２に対して傾斜可能に設けられた上面板１２３とを備えており、図６に示したように、当該受部部材１２１を前記箱体１１２の底部から挿入した状態で前記上面板１２３を開口部１１４から引き出すことによって前記削り滓を受ける受部１１５が形成されるように構成されている。
【０００５】
一方、前記開口部１１４を形成する際に捲り挙げられる前記箱体１１２の部位には、円形穴１３１が形成されており、フック１３２などに吊り下げる吊り下げ部１３３が構成されている。
【０００６】
【特許文献１】
実開昭６３−１９３４５４号公報（図１及び図４）
【０００７】
【発明が解決しようとする課題】
しかしながら、このような猫の爪研ぎ１０１にあっては、受部１１５を箱体１１２内へ挿入した状態で上面板１２３を開口部１１４から引き出して受部１１５を形成する構造上、比較的受部１１５が狭かった。また、吊り下げ部１３３によって吊り下げられる構造上、使用時に揺動し易かった。
【０００８】
このため、削り滓が散らばり易かった。
【０００９】
本発明は、このような従来の課題に鑑みてなされたものであり、削り滓の散乱を防止することができる猫の爪研ぎを提供することを目的とするものである。
【００１０】
【課題を解決するための手段】
前記課題を解決するために本発明の請求項１の猫の爪研ぎにあっては、爪研ぎ本体に外側から取り付けられ、爪研ぎ時に生じた削り滓を受ける受部を備えている。
【００１１】
すなわち、この猫の爪研ぎにあっては、削り滓を受ける受部が、爪研ぎ本体の外側から取り付けられる。
【００１２】
このため、爪研ぎ本体の形状や大きさによる制限を受けること無く、受部の大型化が図られる。
【００１３】
また、請求項２の猫の爪研ぎにおいては、前記受部を、前記爪研ぎ本体に嵌着されるトレイ状に形成するとともに、当該受部の後壁面を前記爪研ぎ本体の背面に係止する係止手段を備えている。
【００１４】
すなわち、削り滓を受ける受部は、爪研ぎ本体に嵌着されるトレイ状に形成されており、当該受部は、係止手段によって、その後壁面が爪研ぎ本体の背面に係止された状態で取り付けられる。
【００１５】
さらに、請求項３の猫の爪研ぎでは、前記爪研ぎ本体を、爪研ぎ部材と該爪研ぎ部材を収容する箱体とで構成するとともに、前記受部を、使用時に前記箱体から切り取られる切り取り片で構成した。
【００１６】
すなわち、爪研ぎ本体は、爪研ぎ部材と該爪研ぎ部材を収容する箱体とで構成されており、削り滓を受ける受部は、使用時に前記箱体から切り取られる切り取り片で構成されている。
【００１７】
このため、使用時に前記箱体から切り取られる切り取り片は、前記受部として有効利用される。
【００１８】
加えて、請求項４の猫の爪研ぎにあっては、前記箱体に、使用時に背面に沿って切り起こされる舌片を複数箇所に設けた。
【００１９】
すなわち、箱体には、使用時に背面に沿って切り起こされる舌片が複数箇所に設けられており、この箱体の背面を壁面に沿って設置する際には、各舌片に画鋲を刺すなどして壁面や柱に固定することができる。
【００２０】
これにより、前記箱体は、複数箇所が固定される。
【００２１】
また、本発明の請求項５の猫の爪研ぎにあっては、爪研ぎ本体が、爪研ぎ部材と該爪研ぎ部材を収容する箱体とで構成され、爪研ぎ時に生じた削り滓を受ける受部を備えた猫の爪研ぎにおいて、前記箱体に、使用時に背面に沿って切り起こされる舌片を複数箇所に設けた。
【００２２】
すなわち、箱体には、使用時に背面に沿って切り起こされる舌片が複数箇所に設けられており、この箱体の背面を壁面に沿って設置する際には、各舌片に画鋲を刺すなどして壁面や柱に固定することができる。
【００２３】
これにより、前記箱体は、複数箇所が固定される。
【００２４】
【発明の実施の形態】
以下、本発明の一実施の形態を図に従って説明する。図１は、本実施の形態にかかる猫の爪研ぎ１を示す図であり、該猫の爪研ぎ１は、猫による柱や室内壁などの壁面２への引っ掻き傷を防止する際に利用される。
【００２５】
この猫の爪研ぎ１の爪研ぎ本体１１は、縦長矩形状の箱体１２と、該箱体１２に収容された爪研ぎ部材１３とによって構成されている。該爪研ぎ部材１３は、複数積層された段ボールからなり、各段ボールの端面が爪研ぎ面１４を構成している。この爪研ぎ部材１３の爪研ぎ面１４は、箱体１２に形成された開口部１５から露出しており、猫が爪研ぎ面１４を引っ掻くことで爪研ぎができるように構成されている。
【００２６】
この爪研ぎ本体１１の底部には、トレイ状の受部２１が設けられており、該受部２１によって爪研ぎ時に生じた削り滓を受け、床等への散乱を防止できるように構成されている。
【００２７】
図２は、前記箱体１２を展開した状態を示す図であり、該箱体１２は、ボール紙によって形成されている。この箱体１２には、図中破線で示すように、断続的に切断されてなる切り込み線が設けられており、使用時には、この切り込み線に沿って切断できるように構成されている。
【００２８】
すなわち、箱体１２正面３１の天面３２側の両角部には、円弧状切り込み線３３，３３が形成されており、この円弧状切り込み線３３，３３からは、底面３４側へ向けて側縁切り込み線３５，３５が延設されている。両側縁切り込み線３５，３５は、その先端近傍が横断切り込み線３６によって連設されており、この横断切り込み線３６の中央上部には、ピン穴３７が形成されている。これにより、前記円弧状切り込み線３３，３３と側縁切り込み線３５，３５と横断切り込み線３６とに沿って切断し、この部位を上方へ折り返すことによって、図１に示したように、箱体１２正面３１の上部に前記開口部１５を形成するとともに、この折返し片３８の前記ピン穴３７へ画鋲３９を刺すことで、当該爪研ぎ本体１１を壁面２に固定できるように構成されている。
【００２９】
前記箱体１２正面３１の底面側には、図２に示したように、底部横断切り込み線４１が横設されており、該底部横断切り込み線４１の中央部には、底面３４側へ突出した凸部切り込み線４２が形成されている。この底部横断切り込み線４１は、箱体１２の両側面４３，４３の中途部まで達しており、その両端からは、天面３２側へ向けて延在する側面切り込み線４４，４４が形成されている。また、前記底部横断切り込み線４１の両端部からは、前記正面３１の側縁に沿って天面３２側へ向けて延在する短切り込み線４５，４５が形成されている。
【００３０】
前記各側面切り込み線４４，４４の先端は、側面横断切り込み線５１，５１によって前記側縁切り込み線３５，３５に連設されており、前記折返し片３８の下部には、図３に示すように、使用時に箱体１１から切り離されて前記開口部１５の下部を形成する切り取り片５２が形成されている。
【００３１】
この切り取り片５２には、複数の折り線６１，・・・が設定されており、図４の（ａ）に示すように、底面部６２の左右側部を折曲して起こすことにより、側壁部６３，６３を形成できるように構成されている。また、この側壁部６３，６３の前端部を内側へ折曲した後、両側壁部６３，６３間より延出した部位６４を折り返すとともに、その先端に形成された凸部６５を底面部６２に形成された切欠部６６に差し込んで係止した状態で、図４の（ｂ）に示すように、前壁部６７を形成できるように構成されている。
【００３２】
また、前記底面部６２より後方へ延出した部位を折曲して起こすことで後壁部７１を形成し、トレイ状の前記受部２１を形成できるように構成されている。そして、この後壁部７１を、図５の（ａ）に示すように、前記箱体１２の底面７２より差し込むことによって、前記後壁部７１を前記箱体１２に係止できるように構成されている。このとき、前記箱体１２の背面７３下縁には、スリット７４，７４が形成されており、前記両側壁部６３，６３の後端部７５，７５を、図５の（ｂ）に示すように、各スリット７４，７４に差し込むことで、当該受部２１を前記箱体１２に取り付けられるように構成されている。
【００３３】
つまり、前記爪研ぎ本体１１には、爪研ぎ時に生じた削り滓を受けるトレイ状の前記受部２１が底部に嵌着されることによって外側から取り付けられ、この受部２１は、その後壁面が前記爪研ぎ本体１１の箱体１２の背面７３と一体化された状態で係止されるように構成されている。また、この受部２１は、箱体１２に開口部１５を形成する為に切り取られる切り取り片５２で構成されている。
【００３４】
そして、前記箱体１２の背面７３には、図２に示したように、コ字状の切り込み線８１，８１が左右側部に形成されており、当該箱体１２には、使用時に背面７３に沿って切り起こされる舌片８２，８２が左右側部に形成されている。前記各切り込み部８１，８１の内側には、ピン穴８３，８３が形成されており、図１に示したように、前記各舌片８２，８２を切り起こしてピン穴８３，８３へ画鋲８４，８４を刺すことで、当該爪研ぎ本体１１を壁面２に立て掛けた状態で固定できるように構成されている。
【００３５】
さらに、前記箱体１２の背面７３には、図２に示したように、上縁より上方へ延出する延出片９１が形成されており、該延出片９１には、山折り線９２が横設されている。この山折り線９２の両側には、円形穴９３，９３が形成されており、両円形穴９３，９３は、山折り時に互いに重なる位置に設けられている。
【００３６】
以上の構成にかかる本実施の形態において、爪研ぎ部材１３からの削り滓を受ける受部２１が、爪研ぎ本体１１の外側から取り付けられるように構成されている。
【００３７】
このため、爪研ぎ本体１１の形状や大きさによる制限を受けること無く、受部２１の大型化を図ることができ、当該受部２１による屑受け面積の拡張を図ることができる。したがって、受部による屑受け面積が狭い場合と比較して、削り滓の床面９５への散乱を防止することができる。
【００３８】
また、前記受部２１は爪研ぎ本体１１の底部に嵌着されるトレイ状に形成されており、この受部２１は、両側壁部６３，６３の後端部７５，７５が箱体１２背面７３のスリット７４，７４に差し込まれた際に、その後壁面が前記箱体１２の背面７３と一体化された状態で取り付けられる。
【００３９】
このため、受部２１を、開口部１５が設けられた爪研ぎ本体１１の箱体１２正面３１側へ大きく張り出すことができ、削り屑の落下防止効果を高めることができる。
【００４０】
そして、前記爪研ぎ本体１１は、爪研ぎ部材１３と該爪研ぎ部材１３を収容する箱体１２とで構成されており、削り滓を受ける受部２１は、前記箱体１２正面３１に開口部１５を形成する際に切り取られる切り取り片５２で構成されている。
【００４１】
このため、使用時に切り取られる箱体１２の一部を、前記受部２１として有効利用することができる。
【００４２】
一方、前記箱体１２の背面７３には、使用時に背面７３に沿って切り起こされる舌片８２，８２が二箇所に設けられており、この箱体１２の背面７３を壁面２に沿って設置する際に、各舌片８２，８２のピン穴８３，８３に画鋲８４，８４を刺すなどして壁面２に固定することができる。
【００４３】
これにより、前記箱体１２を、二箇所の舌片８２，８２により壁面２に固定することができる。よって、爪研ぎ本体１１の固定性を高めることができ、爪と研ぎ時の不用意なズレ等を防止することができる。
【００４４】
そして、爪研ぎ本体が吊り下げ部で吊り下げられる従来と比較して、爪研ぎ本体１１の使用時の揺動を確実に防止することができる。これによっても、削り滓の散乱を防止することができる。
【００４５】
【発明の効果】
以上説明したように、本発明の請求項１の猫の爪研ぎにあっては、削り滓を受ける受部が爪研ぎ本体の外側から取り付けられるように構成されている。
【００４６】
このため、爪研ぎ本体の形状や大きさによる制限を受けること無く、受部の面積の拡張を図ることができる。よって、削り滓の散乱を防止することができる。
【００４７】
また、請求項２の猫の爪研ぎにおいては、削り滓を受ける受部が爪研ぎ本体に嵌着されるトレイ状に形成されており、この受部は、係止手段によって、その後壁面が爪研ぎ本体の背面に係止された状態で取り付けられる。
【００４８】
このため、受部を爪研ぎ本体の正面側へ大きく張り出すことができ、削り屑の落下防止効果を高めることができる。
【００４９】
さらに、請求項３の猫の爪研ぎでは、爪研ぎ本体が爪研ぎ本体と該爪研ぎ部材を収容する箱体とで構成されており、削り滓を受ける受部は、使用時に前記箱体から切り取られる切り取り片で構成されている。
【００５０】
このため、使用時に切り取られる箱体の一部を、前記受部として有効利用することができる。
【００５１】
加えて、請求項４の猫の爪研ぎにあっては、使用時において、箱体に設けられた複数箇所の舌片を箱体の背面に沿って切り起こすとともに、各舌片に画鋲を刺すなどして、当該箱体を壁面に複数箇所で固定することができる。これにより、固定性を高めることができ、爪と研ぎ時の不用意なズレ等を防止することができる。
【００５２】
そして、爪研ぎ本体が吊り下げ部で吊り下げられる従来と比較して、使用時の揺動を確実に防止することができる。これによっても、削り滓の散乱を防止することができる。
【００５３】
また、本発明の請求項５の猫の爪研ぎにあっては、使用時において、箱体に設けられた複数箇所の舌片を箱体の背面に沿って切り起こすとともに、各舌片に画鋲を刺すなどして、当該箱体を壁面に複数箇所で固定することができる。これにより、固定性を高めることができ、爪と研ぎ時の不用意なズレ等を防止することができる。
【００５４】
そして、爪研ぎ本体が吊り下げ部で吊り下げられる従来と比較して、使用時の揺動を確実に防止することができる。よって、削り滓の散乱を防止することができる。
【図面の簡単な説明】
【図１】本発明の一実施の形態を示す斜視図である。
【図２】同実施の形態の箱体を展開した状態を示す平面図である。
【図３】同実施の形態の使用手順を示す説明図である。
【図４】（ａ）は、図３に続く使用手順を示す説明図であり、（ｂ）は、同図の（ａ）に続く使用手順を示す説明図である。
【図５】（ａ）は、図４の（ｂ）に続く使用手順を示す説明図であり、（ｂ）は、同図の（ａ）に続く使用手順を示す説明図である。
【図６】従来の猫の爪研ぎを示す斜視図である。
【図７】同従来例における受部部材を示す斜視図である。
【符号の説明】
１    猫の爪研ぎ
１１    爪研ぎ本体
１２    箱体
１３    爪研ぎ部材
２１    受部
５２    切り取り片
７１    後壁部
７３    背面
８２    舌片
【図１】
2004321044.tif 000003
【図２】
2004321044.tif 000004
【図３】
2004321044.tif 000005
【図４】
2004321044.tif 000006
【図５】
2004321044.tif 000007
【図６】
2004321044.tif 000008
【図７】
2004321044.tif 000009